(57)【要約】【課題】基体を金属にて形成することにより、強度、耐薬品性および清掃性を向上し、また、金属の素材感に基づく剛性感および硬質感から高級感を得ることができ、さらに、鏡を支持する桟とその他の部材の機能の共有化を図ることにより、部材数の削減と剛性の確保を両立することのできるミラーキャビネット、およびこれを備えた洗面化粧台を提供することを目的としている。【解決手段】水栓１１および洗面ボール１２を備えた洗面カウンター１０と共に設置されるミラーキャビネット４０であって、金属製の基体２１と、基体２１の後方に空間を形成するスペーサーと、基体２１の前方に取り付けられる三面鏡４１と、基体２１の上面を封止する上キャップと、鏡２２の上部を支持する上桟（照明受け桟４２）と、鏡２２の下部を支持する下桟（鏡受け桟４３）とを備え、上キャップと上桟とを一体に形成したことを特徴とする。【選択図】図１
2008136504.tif 000002
【特許請求の範囲】
【請求項１】
水栓および洗面ボールを備えた洗面カウンターと共に設置されるミラーキャビネットであって、
金属製の基体と、
前記基体の後方に空間を形成するスペーサーと、
前記基体の前方に取り付けられる鏡と、
前記基体の上面を封止する上キャップと、
前記鏡の上部を支持する上桟と、
前記鏡の下部を支持する下桟とを備え、
前記上キャップと前記上桟とを一体に形成したことを特徴とするミラーキャビネット。
【請求項２】
前記上桟は、前記下桟よりも前記基体に対する当接面の高さ方向の幅が広いことを特徴とする請求項１記載のミラーキャビネット。
【請求項３】
前記鏡の上端は前記上桟の下部に取り付けられており、
前記上桟の上部には照明器具が取り付けられていることを特徴とする請求項１記載のミラーキャビネット。
【請求項４】
前記上桟および下桟は前記鏡を前記基体に対して前方に突出した位置で支持しており、前記鏡と前記基体との間に収納用空間が形成されていることを特徴とする請求項１記載のミラーキャビネット。
【請求項５】
前記鏡は、前記上桟および下桟にヒンジを介して回動可能に取り付けられることを特徴とする請求項１記載のミラーキャビネット。
【発明の詳細な説明】
【技術分野】
【０００１】
本発明は、洗面化粧台に洗面カウンターと共に設置されるミラーキャビネットに関するものである。
【背景技術】
【０００２】
従来から、浴室に隣接して設けられる脱衣所などには、洗面化粧台が設置されている。洗面化粧台は、大別すれば洗面カウンターとミラーキャビネットとから構成される。洗面カウンターは、基本要素として湯水を供給する水栓と、排水口を備えた洗面ボールとを備えている。設置される際、水栓には給水管が接続され、排水口には排水管が接続される。また洗面カウンターの下部には、引き出しや開き戸などの収納部が設けられる場合が多い。洗面カウンターの正面には、事実上の必需品として鏡が配置されている。鏡は建物の屋内の壁面に直接取り付けられている場合もあるが、照明や収納等を備えた基体に取り付けられている場合が多い。本件出願では、鏡と基体とを含んだユニットをミラーキャビネットと称し、ミラーキャビネットと洗面カウンターとを含んだユニットを洗面化粧台と称することとする。
【０００３】
ミラーキャビネットの基体は、根本的には鏡の支持体である。しかし基体には、蛍光灯などの照明器具、これを操作するためのスイッチ、ドライヤーなどに電力供給するためのコンセントなどを設けている。また石けんや歯ブラシ、化粧品などを載置するための棚や収納部も設けられる。これらのことから、基体はある程度複雑な凹凸形状をなしている。従来の基体は主として合成樹脂材料からなり、特許文献１（特開平０５−１６１５５７）に記載されているように、真空成型にて製造されている場合が多い。
【特許文献１】特開平０５−１６１５５７号公報
【発明の開示】
【発明が解決しようとする課題】
【０００４】
合成樹脂材料を用いた基体は、軽量であること、及び比較的安価であるという利点はある。しかし樹脂材料は、経年劣化により変色が生じやすい。特に化粧品や整髪料などの化学薬品が浸食して部分的な変色を生じる場合があり、耐薬品性にも問題がある。また汚れが付着した場合に、樹脂材料は表面に微細な凹凸があるため拭き取りにくく、場合によっては変色してしまうおそれもある。さらに真空成型をするために肉薄になりがちであり、強度を向上させることが難しい。そのため収納部を形成するために棚などを取り付けることができず、立体的な構造物とする必要があり、視覚的に大仰感が増している。
【０００５】
そこで、本願発明者は、ミラーキャビネットを前面に支持する基体を金属にて形成することで、合成樹脂の場合に比して強度、耐薬品性、および清掃性（清掃容易性）を向上することが可能で有ることを見出した。また金属の素材感に基づく剛性感および硬質感から高級感を得ることもできる。
【０００６】
また、金属は剛性および強度を有するため、単純な形状で鏡や収納トレイなどの付属物を支持することができる。一方、鏡と基体との間に収納用空間を設けようとした場合、鏡を基体よりも前方に突出した位置で支持する必要がある。また基体の後方には配線などのために空間を設ける必要があるが、この空間の側面（すなわち基体側面）に目隠しのキャップを設ける必要がある。
【０００７】
そこで本発明は、基体を金属にて形成することにより、強度、耐薬品性および清掃性を向上し、また、金属の素材感に基づく剛性感および硬質感から高級感を得ることができ、さらに、鏡を支持する桟とその他の部材の機能の共有化を図ることにより、部材数の削減と剛性の確保を両立することのできるミラーキャビネット、およびこれを備えた洗面化粧台を提供することを目的としている。
【課題を解決するための手段】
【０００８】
上記課題を解決するために、本発明にかかるミラーキャビネットの代表的な構成は、水栓および洗面ボールを備えた洗面カウンターと共に設置されるミラーキャビネットであって、金属製の基体と、基体の後方に空間を形成するスペーサーと、基体の前方に取り付けられる鏡と、基体の上面を封止する上キャップと、鏡の上部を支持する上桟と、鏡の下部を支持する下桟とを備え、上キャップと上桟とを一体に形成したことを特徴とする。
【０００９】
上記構成によれば、基体を金属にて形成したことにより、合成樹脂の場合に比して強度、耐薬品性、および清掃性を向上し、また金属の素材感に基づく剛性感および硬質感から高級感を得ることができる。また、上キャップと上桟とを一体に形成したことにより、部材の共有化を図って部品点数を削減すると共に、鏡の重量によって桟に生じる回転モーメントを、上キャップ部分で効率的に支持することができる。
【００１０】
上桟は、下桟よりも基体に対する当接面の高さ方向の幅を広くしてもよい。これにより、上桟が鏡の重量に負けて倒れることを防止し、ひいては上桟、下桟および鏡からなる構造体の剛性を確保することができる。
【００１１】
鏡の上端は上桟の下部に取り付けられており、上桟の上部には照明器具が取り付けられていてもよい。これにより鏡を支持するための桟と、照明器具を支持するための支持体の機能の共有化を図ることができ、部材の共有化を図って部品点数を削減することができる。また金属製の照明器具が基体に直接取り付けられることを防止することにより、異種金属の接合による電蝕を防止することができる。
【００１２】
上桟および下桟は鏡を基体に対して前方に突出した位置で支持しており、鏡と基体との間に収納用空間が形成されていてもよい。また、鏡は、上桟および下桟にヒンジを介して回動可能に取り付けられていてもよい。これにより鏡を蓋体とする収納部を構成することができる。また鏡が三面鏡である場合には両側の２面をヒンジを介して回動可能とするが、さらに中央の面もヒンジを介して回動可能に取り付けることが好ましい。
【００１３】
基体は、両側辺を後方に向かって２度屈曲させたリップ溝形とすることにより、該基体の屈曲部がスペーサーの一部を構成してもよい。これにより、基体の背面側に配線のための空間を設けつつ、基体側面にも金属を露出させることができる。また基体のたわみに対する剛性が向上するため、板材を用いても鏡などの支持物に対して十分な剛性を得ることができる。またスペーサーの部材が削減できるため、部材数の削減を図ることができる。
【００１４】
基体は、ステンレス鋼にて形成されていてもよい。これにより、特に耐薬品性、耐候性を向上させることができる。また素材感に基づく剛性感および硬質感においても、他の金属素材よりも程度の高い高級感を使用者に与えることができる。
【００１５】
また洗面化粧台は、上記ミラーキャビネットと、湯水を供給する水栓と、排水口を備えた洗面ボールとを備えた洗面カウンターと、を備えたことを特徴とする。上記の如くミラーキャビネットの基体を金属にて形成することにより、強度、耐薬品性および清掃性を向上し、また金属の素材感に基づく剛性感および硬質感から高級感を得ることのできる洗面化粧台とすることができる。また、上述したミラーキャビネットの技術的思想に基づく構成要素やその説明は、当該洗面化粧台にも適用可能である。
【発明の効果】
【００１６】
本発明によれば、基体を金属にて形成することにより、強度、耐薬品性および清掃性を向上し、また金属の素材感に基づく剛性感および硬質感から高級感を得ることができ、さらに、鏡を支持する桟と他の部材との共有化を図ることにより、部材数の削減と剛性の確保を両立することのできるミラーキャビネット、およびこれを備えた洗面化粧台を提供することができる。
【発明を実施するための最良の形態】
【００１７】
［第１実施形態］
本発明にかかるミラーキャビネットの第１実施形態について説明する。本実施形態においてミラーキャビネットは、三面鏡の構成である。図１は第１実施形態にかかる洗面化粧台の分解斜視図、図２は洗面化粧台の外観斜視図、図３はミラーキャビネットを背面から見た分解斜視図、図４は照明受け桟の構成を説明する図、図５は鏡受け桟および桟固定具の構成を説明する図、図６は本体サイドカバーの構成を説明する図である。なお、以下の実施例に示す寸法、材料、その他具体的な数値などは、発明の理解を容易とするための例示に過ぎず、特に断る場合を除き、本発明を限定するものではない。
【００１８】
図１および図２に示すように、洗面化粧台１は、洗面カウンター１０と、ミラーキャビネット４０とから構成されている。洗面カウンター１０は、湯水を供給する水栓１１と、排水口１２ａを備えた洗面ボール１２とを備えている。また洗面ボールの下方には収納棚１３が設けられている。
【００１９】
ミラーキャビネット４０は、金属製の基体２１と、基体２１の前方に取り付けられた三面鏡４１とを備えている。基体２１は、両側辺を後方に向かって２度屈曲させたリップ溝形（Ｃ形もしくはＣチャン形状ともいう）に形成されている。基体２１の背面、すなわちリップ溝形の内部には、裏補強板３０が配置されている（図３参照）。
【００２０】
基体２１には三面鏡４１の重量を支持するために縦方向にたわむ荷重がかかるが、上記のようにリップ溝形とすることにより、板材であっても十分な剛性（たわみにくい性質）を得ることができる。従って板材を曲げるだけといった単純な加工によって剛性の高い基体２１を形成することができ、かつ、製造工程の単純化および短縮化を図ることが可能となるので、生産性を向上させることができる。
【００２１】
基体２１の材質としてはステンレス鋼、アルミニウム、鉄鋼などを選択することができる。鉄鋼材料の場合は、防錆のために、また手垢などの汚れの付着を防止するために、塗装またはめっき処理などの表面処理をすることが好ましい。このように金属材料を用いたことにより、金属の素材感に基づく剛性感および硬質感から美観を向上し、高級感を得ることができる。
【００２２】
また金属材料は樹脂材料に比して強度（破壊強度）が大きいため、立体的な構造をとらずとも後述する三面鏡４１や収納トレイ２８などの支持物を支持することができる。このことは基体２１を単純なフラット形状にできることに寄与しており、視覚的な大仰感を低減し、美観を向上させると共に、清掃性を向上させることができる。
【００２３】
基体２１の材質としては、上記の中でも特にステンレス鋼を選択することが好ましい。これにより、特に耐薬品性、耐候性、剛性および強度を向上させることができる。またステンレス鋼は組織が緻密であることから研磨することにより美観に優れている。さらに社会通念上、使用者はステンレス鋼に対して剛性感および硬質感、耐久性などに優れていると感じることが期待できるため、他の金属素材よりも程度の高い高級感を使用者に与えることができる。
【００２４】
図３に示すように、基体２１の背面には裏補強板３０が配置されている。裏補強板３０は、基体２１の背面のほぼ全面を覆う面積を備えた板部３１と、板部３１に取り付けられた複数のブロック３３とから構成されている。ブロック３３は、主に基体２１の前面に取り付けられる各種付属品を締結固定する際のネジ受けとして設けられている。付属品としては、三面鏡４１を支持する照明受け桟４２（上桟）および鏡受け桟４３（下桟）、トレイフック２９などが、基体２１を介して裏補強板３０に取り付けられる。
【００２５】
ここで、基体２１の両側辺に形成された屈曲部分と、上端ブロック３２ａおよび下端ブロック３２ｂによって、基体の後方に空間を形成するスペーサーが構成される。この基体２１の後方、すなわちリップ溝形の内部に形成された空間には、照明ユニット２５、ヒーターユニット、およびスイッチ３４などに電気的に接続するための配線が設けられる。すなわち基体２１の形状がリップ溝形であることは、剛性の向上のみでなく、基体２１の背面側に配線のための空間を設ける役割をも有している。さらに、そのような空間を設けつつ、基体側面にも金属面を露出させることができる効果を有している。
【００２６】
基体２１の下端には、本体下キャップ２４が取り付けられている。本体下キャップ２４は、裏補強板３０の下端ブロック３２ｂに締結固定され、基体２１の下面を覆う蓋部２４ａと、前方に突出して棚を構成する棚部２４ｂとからなり、棚兼用端部部材を構成している。また基体２１の下部には、照明ユニット２５やヒーターユニットを操作するためのスイッチ３４が設けられている。
【００２７】
基体２１の上端には、本体上キャップを兼ねた照明受け桟４２が取り付けられる。図４に照明受け桟４２の構成を示す。照明受け桟４２は、基体２１の上面に配置される上キャップ部分４２ａと、基体２１の前面に配置される照明受け部４２ｂおよびヒンジ支持部４２ｃとから構成される。
【００２８】
照明受け桟４２の上面の上キャップ部分４２ａは、基体２１の上面を覆った状態で、複数のネジ穴４８ａを介して上方から裏補強板３０の上端ブロック３２ａに締結固定される。また照明受け部４２ｂは、複数のネジ穴４８ｂを介して前面から裏補強板３０の裏側に配置されたブロック３２に締結固定される。
【００２９】
また基体２１の三面鏡４１の下端に対応する位置には、鏡受け桟４３が取り付けられる。図５に鏡受け桟４３および桟固定具４９の構成を示す。桟固定具４９は図５（ｂ）に示すように、その上下に基体２１より離隔した位置に幅広部４９ａを備え、基体２１に沿って溝部４９ｂを形成している。一方鏡受け桟４３は図５（ａ）に示すように、前方側にヒンジ支持部４３ａを形成し、後方側に溝部４９ｂに嵌合する断面Ｃ字形の嵌合部４３ｂを形成している。従って鏡受け桟４３は図１に示したように、まず基体２１に桟固定具４９を固定し、これに摺動嵌合させることによって取り付けられる。
【００３０】
ここで、仮に鏡受け桟４３を直接ネジ止めする構成とすれば、鏡受け桟４３の高さ方向の幅が狭いことからネジ部分に過度の負荷がかかって破損しやすくなり、かといって幅を広くすると金属製の基体２１をより多く隠してしまう。またネジ回しを挿入するための穴や窪みを前面に設けなければならず、その穴にキャップなどをしたとしても美観を低下させる要因となる。しかし上記構成によれば、桟固定具４９の上下両縁で支持することから応力を分散して強度を向上し、破損しにくくすることができる。また目線に近い鏡受け桟４３の高さ方向の幅を狭くすることができ、金属面を大きく見せることができるため、美観と清掃性を向上させることができる。さらにネジの露出を避け、ネジ回し用の穴などを設ける必要もないため、簡潔な外観により美観を向上させることができる。
【００３１】
照明受け桟４２および鏡受け桟４３の前面には複数のヒンジ４４が設けられており、これに三面鏡４１の各鏡を取り付けることにより、鏡は回動可能に取り付けられる。三面鏡４１の両側の袖鏡４１ｂ、４１ｃは中央の主鏡４１ａ側の端部においてヒンジ４４に接続される。さらに主鏡４１ａもヒンジ４４に接続されており、基体２１に対して回動可能に構成されている。
【００３２】
照明受け桟４２および鏡受け桟４３は基体２１に対して前方に突出するように設けられており、これにより三面鏡４１と基体２１との間に収納用空間が形成されている。この収納用空間の側面には本体サイドカバー４５が取り付けられる。
【００３３】
図６に本体サイドカバー４５の構成を示す。本体サイドカバー４５は収納用空間の側面を封止する壁面４５ａと、照明受け桟４２と嵌合する上部嵌合部４５ｂ、鏡受け桟４３と嵌合する下部嵌合部４５ｃ、基体２１に締結される複数の締結部４５ｄとから構成される。左右の本体サイドカバー４５は、鏡像体構造の関係にある。すなわち、照明受け桟４２および鏡受け桟４３の左右から本体サイドカバー４５を嵌合し、かつ本体サイドカバー４５を基体２１に締結固定することによって、三面鏡４１を蓋体とする箱形構造の収納部が構成される。これにより、三面鏡４１の荷重に対してもゆがみや傾きの生じない頑強な構造体となる。
【００３４】
三面鏡４１と基体２１の間の収納用空間には、複数の収納トレイ２８が取り付けられる。収納トレイ２８は、基体２１の表面に取り付けられたトレイフック２９に対して嵌合することにより、着脱可能となっている。トレイフック２９は前方側が幅広に形成されており、その側面に上下方向の溝を形成している。また複数の収納トレイ２８の中央にはサイズの大きな中央トレイ４７が取り付けられており、大きめの物も収納可能に構成されている。
【００３５】
照明受け桟４２の前面には照明ユニット２５が取り付けられ、また照明ユニット２５を覆うように照明カバー４６が着脱可能に取り付けられている。これにより鏡を支持するための桟と、照明器具を支持するための支持体の機能の共有化を図ることができ、部材の共有化を図って部品点数を削減することができる。また金属製の照明器具が基体に直接取り付けられることを防止することにより、異種金属の接合による電蝕を防止することができる。
【００３６】
図２に示すように洗面化粧台１を組み立てた状態においては、基体２１の側面は常に露出しており、また三面鏡４１を開いた際には必ず大きく基体２１の表面が視認される。このとき鏡のガラスの質感と、基体２１の金属の素材感に基づく剛性感および硬質感から、美観の統一感が感じられるため、高級感を得ることができる。
【００３７】
上記説明した如く、本実施形態にかかるミラーキャビネットにおいては、基体２１を金属にて形成することにより、強度、耐薬品性および清掃性を向上し、また金属の素材感に基づく剛性感および硬質感から高級感を得ることができる。また基体２１の材質をステンレス鋼とすることにより、さらに顕著に上記の効果を得ることができる。また基体２１をリップ溝形としたことにより、板材であっても十分な剛性を得ることができ、背面側に配線のための空間を設けつつ、基体側面にも金属面を露出させることができる。
【００３８】
また上記説明した如く、照明受け桟４２において基体２１の上キャップと三面鏡４１を支持する上桟とを一体に形成したことにより、部材の共有化を図って部品点数を削減することができる。
【００３９】
また上記構成において、鏡受け桟４３は桟固定具４９に嵌合させるのみの構成であるから、上下方向の回転モーメントに対する剛性は弱くなっている。しかし照明受け桟４２の基体２１に対する当接面４２ｄの高さ方向の幅は、鏡受け桟４３のそれよりも広くなっている。従って照明受け桟４２は回転モーメントに対する大きな剛性を備え、三面鏡４１の荷重を支持することができる。さらに、照明受け桟４２は基体２１の上キャップと三面鏡４１を支持する上桟とを一体に形成しているため、鏡の重量によって桟に生じる回転モーメントを、回転モーメントに直交する方向にネジ止めされた上キャップ部分４２ａによって、効率的に支持することができる。
【００４０】
［第２実施形態］
本発明にかかるミラーキャビネットの第２実施形態について説明する。本実施形態においてミラーキャビネット２０および洗面化粧台２は、一面鏡の構成である。図７は第２実施形態にかかる洗面化粧台の外観斜視図であって、上記第１実施形態と説明の重複する部分については、同一の符号を付して説明を省略する。
【００４１】
本実施形態において照明受け桟４２および鏡受け桟４３の前面には、一面鏡の鏡２２がヒンジ４４を介して回動可能に取り付けられている。鏡２２の背面には、曇り止めのための不図示のヒーターユニットが配置されている。照明受け桟４２および鏡受け桟４３の側面には本体サイドカバー４５が取り付けられており、鏡２２と基体２１との間には収納用空間が形成されている。
【００４２】
基体２１の前面であって鏡２２の両脇には、複数の収納トレイ２８が取り付けられる。収納トレイ２８は、基体２１の表面に取り付けられたトレイフック２９に対して嵌合することにより、着脱可能となっている。一方、収納トレイ２８の取付部には溝と摺動嵌合するリブが形成されている。また鏡２２の脇には、照明ユニット２５やヒーターユニットを操作するためのスイッチ３４が設けられている。
【００４３】
本実施形態においても、基体２１をリップ溝形にしたことによる剛性および生産性の向上、金属材料を用いたことによる強度向上、形状の単純化、清掃性の向上、さらにステンレス鋼を用いた場合の耐薬品性、耐候性、さらなる美観と強度の向上については、上記第１実施形態と同様である。
【００４４】
また、照明受け桟４２において基体２１の上キャップと三面鏡４１を支持する上桟とを一体に形成したことにより、部材の共有化を図って部品点数を削減し、鏡２２の荷重による回転モーメントに対する剛性を確保できる点においても、上記第1実施形態と同様である。
【００４５】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４６】
本発明は、洗面カウンターと共に設置されるミラーキャビネット、もしくはこれらを含む洗面化粧台として利用することができる。
【図面の簡単な説明】
【００４７】
【図１】第１実施形態にかかる洗面化粧台の分解斜視図である。
【図２】洗面化粧台の外観斜視図である。
【図３】ミラーキャビネットを背面から見た分解斜視図である。
【図４】照明受け桟の構成を説明する図である。
【図５】鏡受け桟および桟固定具の構成を説明する図である。
【図６】本体サイドカバーの構成を説明する図である。
【図７】第２実施形態にかかる洗面化粧台の外観斜視図である。
【符号の説明】
【００４８】
１、２…洗面化粧台
１０…洗面カウンター
１１…水栓
１２…洗面ボール
１２ａ…排水口
１３…収納棚
２０…ミラーキャビネット
２１…基体
２２…鏡
２４…本体下キャップ
２４ａ…蓋部
２４ｂ…棚部
２５…照明ユニット
２８…収納トレイ
２９…トレイフック
３０…裏補強板
３１…板部
３２ａ…上端ブロック
３２ｂ…下端ブロック
３３…ブロック
３４…スイッチ
４０…ミラーキャビネット
４１…三面鏡
４１ａ…主鏡
４１ｂ、４１ｃ…袖鏡
４２…照明受け桟
４２ａ…上キャップ部分
４２ｂ…照明受け部
４２ｃ…ヒンジ支持部
４２ｄ…当接面
４３…鏡受け桟
４３ａ…ヒンジ支持部
４３ｂ…嵌合部
４４…ヒンジ
４５…本体サイドカバー
４５ａ…壁面
４５ｂ…上部嵌合部
４５ｃ…下部嵌合部
４５ｄ…締結部
４６…照明カバー
４７…中央トレイ
４８ａ、４８ｂ…ネジ穴
４９…桟固定具
４９ａ…幅広部
４９ｂ…溝部
【図１】
2008136504.tif 000003
【図２】
2008136504.tif 000004
【図３】
2008136504.tif 000005
【図４】
2008136504.tif 000006
【図５】
2008136504.tif 000007
【図６】
2008136504.tif 000008
【図７】
2008136504.tif 000009